(57)【要約】【課題】  Ｗｅｂページ作成やネットワーク構築の知識がなくても、各種競技の大会や試合に関する  情報を、リアルタイムに、リーグ表やトーナメント表の形式でＷｅｂページに表示し、不特定多数のＷｅｂ閲覧者に伝達すること。【解決手段】  情報発信者が、携帯電話、携帯情報端末、および、パーソナルコンピューターなどをはじめとする情報処理端末２１を利用して、Ｗｅｂサーバ１０に記憶されている情報入力Ｗｅｂページ１６を受信し、該Ｗｅｂページ１６に大会や試合の情報を入力し、Ｗｅｂサーバ１０に送信するだけで、Ｗｅｂサーバ１０に記憶されている情報表示Ｗｅｂページ１７にトーナメント表やリーグ表の形式で、各大会参加者の得点や順位、次期試合の組合せ、優勝者などの情報がリアルタイムに表示され、Ｗｅｂ閲覧者が情報表示Ｗｅｂページ１７を情報処理端末２２によって閲覧する。【選択図】  図１
2005044322.tif 000002
【特許請求の範囲】
【請求項１】
情報発信者が、コンピューターやＰＤＡ、携帯電話などの情報処理端末を利用して、大会情報や試合情報をＷｅｂサーバに送信することで、Ｗｅｂサーバが、送信された大会情報や試合情報をＷｅｂサーバ内の大会・試合情報表示Ｗｅｂページ上に即時的に表示する大会および試合の経過と結果の伝達方法。
【請求項２】
Ｗｅｂ閲覧者が、前記の情報処理端末を利用して、請求項１に記載のＷｅｂサーバから、大会・試合情報表示Ｗｅｂページを受信し、該Ｗｅｂページを閲覧することで、請求項１に記載の大会情報や試合情報を取得することが可能となる請求項１に記載の大会および試合の経過と結果の伝達方法。
【請求項３】
請求項１に記載の大会情報には、少なくとも、各試合が行われる大会の名称、競技種目、試合形式（トーナメント戦、もしくは、リーグ戦）、大会の開始と終了の日時、各試合の開始日時、試合会場、大会参加者の名称や数、参加者の大会における順位、対戦相手の組合せなどが含まれる、請求項１と２に記載の大会および試合の経過と結果の伝達方法。
【請求項４】
請求項１に記載の試合情報には、少なくとも、大会参加者の各試合における得点や大会における得点の合計、そして、試合が継続中か終了しているかの情報などが含まれる請求項１から３に記載の大会および試合の経過と結果の伝達方法。
【請求項５】
情報発信者が、前記の情報処理端末を利用して、試合終了情報をＷｅｂサーバに送信することで、Ｗｅｂサーバが、情報発信者から送信された各試合における参加者の得点情報から、得点の多い参加者を各試合の勝者として判断する請求項１から４に記載の大会および試合の経過と結果の伝達方法。
【請求項６】
情報発信者が、前記の情報処理端末を利用して、試合形式をトーナメント戦とする情報と初回対戦相手の組合せ情報を、Ｗｅｂサーバに送信することで、Ｗｅｂサーバが大会・試合情報表示Ｗｅｂページ上にトーナメント表を即時的に表示する請求項１から５に記載の大会および試合の経過と結果の伝達方法。
【請求項７】
試合形式がトーナメント戦である場合、情報発信者が、前記の情報処理端末を利用して、試合終了の情報をＷｅｂサーバに送信することで、即時的にＷｅｂサーバが送信された得点情報から試合の勝者を判断するとともに、該勝者が上位の試合に出場することを請求項６に記載のトーナメント表に即時的に図示する請求項１から６に記載の大会および試合の経過と結果の伝達方法。
【請求項８】
試合形式がトーナメント戦である場合、情報発信者が、前記の情報処理端末を利用して、試合終了の情報をＷｅｂサーバに送信することで、Ｗｅｂサーバが各試合の勝者とトーナメント表の情報から、上位の試合の対戦組合せを決定し、かつ、該組合せ情報を大会・試合情報表示Ｗｅｂページ上に即時的に表示する請求項１から７に記載の大会および試合の経過と結果の伝達方法。
【請求項９】
試合形式がトーナメント戦である場合、情報発信者が、前記の情報処理端末を利用して、試合終了の情報をＷｅｂサーバに送信することで、Ｗｅｂサーバが試合の勝者を判断するとともに、当該の大会における勝者が１人になった時点で、該勝者が大会の優勝者であることを請求項６に記載のトーナメント表に即時的に図示する請求項１から８に記載の大会および試合の経過と結果の伝達方法。
【請求項１０】
情報発信者が、前記の情報処理端末を利用して、試合形式をリーグ戦とする情報をＷｅｂサーバに送信することで、Ｗｅｂサーバが即時的に大会・試合情報表示Ｗｅｂページ上にリーグ表を即時的に表示する請求項１から５に記載の大会および試合の経過と結果の伝達方法。
【請求項１１】
請求項１０に記載のリーグ表には、各大会参加者の、順位、各試合における得点情報、勝ち数、負け数、引分の数、得点、失点、得失点差、勝ち点を表示する欄が設けられている請求項１から５、および、請求項１０に記載の大会および試合の経過と結果の伝達方法。
【請求項１２】
試合形式がリーグ戦の場合、情報発信者が、前記の情報処理端末を利用して、試合終了情報をＷｅｂサーバに送信する度に、Ｗｅｂサーバが、試合参加者に勝ち点を割り当てる請求項１から５、および、請求項１０と１１に記載の大会および試合の経過と結果の伝達方法。
【請求項１３】
請求項１２に記載の勝ち点を、情報発信者が、前記の情報処理端末を利用して、任意の値に決定することができる、請求項１から４、および、請求項１０から１２に記載の大会および試合の経過と結果の伝達方法。
【請求項１４】
試合形式がリーグ戦の場合、情報発信者が、前記の情報処理端末を利用して、試合終了情報をＷｅｂサーバに送信することで、Ｗｅｂサーバが、請求項１０のリーグ表に各大会参加者の、対戦相手ごとの得点情報、順位、勝ち数、負け数、引分の数、得点、失点、得失点差、勝ち点を即時的に表示する請求項１から４、および、請求項１０から１３に記載の大会および試合の経過と結果の伝達方法。
【請求項１５】
試合形式がリーグ戦の場合、Ｗｅｂサーバは、勝ち点の合計が多い参加者をより上位の順位として判断する請求項１から４、および、請求項１０から１４に記載の大会および試合の経過と結果の伝達方法。
【請求項１６】
Ｗｅｂサーバが、リーグ戦の順位を判断する際、大会参加者の勝ち点の合計が同値であるときは、得失点差の累計が多い方を勝者と判断し、さらに、得失点差が同値の場合、得点の累計が多い方を勝者と判断する請求項１から４、および、請求項１０から１５に記載の大会および試合の経過と結果の伝達方法。
【発明の詳細な説明】
【技術分野】
【０００１】  本発明は、情報発信者が、個人間や団体間で得点を競う大会や試合の経過や結果に関する情報を、コンピューターやＰＤＡ、携帯電話などの情報処理端末で送信すると、Ｗｅｂサーバが、該大会や試合の情報をトーナメント表やリーグ表の形式でＷｅｂページ上に即時的に表示し、Ｗｅｂ閲覧者に伝達する方法にかかわる。
【背景技術】
【０００２】  個人間や団体間で得点を競う大会や試合の経過や結果に関する情報を、大会関係者が、即時的に試合会場から離れた人々に伝達しようとする時に考えられる手段として、テレビやラジオが頻繁に使用されているが、これらの情報伝達手段は、アマチュア選手による各種の試合情報を伝達しようとする多くの人々にとって容易に利用できるものではない。【０００３】  そこで、近年、個人が、即時的、かつ、低費用で情報を伝達する手段として、インターネット、および、Ｗｅｂページを利用した伝達手段が利用されている。【０００４】  従来のインターネットを使用した試合情報の伝達方法としては、インターネットを介して、アニメーション化した実況画像やスコアボードを携帯電話やＰＤＡ等の携帯機器に送信および表示し、リアルタイムでスポーツ実況を行うことができるスポーツ実況システムがある（例えば、特許文献１参照）。【０００５】
【特許文献１】    特開２００３−９９５５４号公報  （第３−５頁、第１図）
【発明の開示】
【発明が解決しようとする課題】
【０００６】  ただ、前記従来技術の利用によって、個別試合の経過や結果を即時的に伝達することは可能であるが、大会における参加者の順位や次回の対戦相手の組合せ、および、優勝者となった参加者などに関する情報を即時的に伝達することは可能ではない。【０００７】  それに加えて、情報取得者にとっての利便性は向上するが、情報発信者が、情報を発信するサーバの構築やＷｅｂページ作成に精通していなくても、試合の経過や結果を伝達することが可能であるかは定かではない。【０００８】  そこで、本発明の目的は、情報発信者が、携帯電話やパーソナルコンピューター、および、携帯情報端末などの通信機能を具備した情報処理端末を利用して、大会情報や試合情報をＷｅｂサーバに送信するだけで、即時的に、閲覧用のＷｅｂページにトーナメント表やリーグ表を表示し、不特定多数のＷｅｂページ閲覧者に大会情報や試合情報を伝達する方法を提供することである。
【課題を解決するための手段】
【０００９】  本発明は、上記の目的を果たすため、情報発信者が、コンピューターやＰＤＡ、携帯電話などの情報処理端末を利用して、大会情報や試合情報をＷｅｂサーバに送信することで、Ｗｅｂサーバが、送信された大会情報や試合情報をＷｅｂサーバ内の大会・試合情報表示Ｗｅｂページ上に即時的に表示することを特徴とする。【００１０】  一方、本発明を利用することで、Ｗｅｂ閲覧者が、前記の情報処理端末を利用して、請求項１に記載のＷｅｂサーバから、大会・試合情報表示Ｗｅｂページを受信し、該Ｗｅｂページを閲覧することで、請求項１に記載の大会情報や試合情報を取得することが可能となる。【００１１】  ここで、前記の大会情報には、少なくとも、各試合が行われる大会の名称、競技種目、試合形式（トーナメント戦、もしくは、リーグ戦）、大会の開始と終了の日時、各試合の開始日時、試合会場、大会参加者の名称や数、参加者の大会における順位、対戦相手の組合せなどが含まれる。【００１２】  一方、前記の試合情報には、少なくとも、大会参加者の各試合における得点や大会における得点の合計、そして、試合が継続中か終了しているかの情報などが含まれる。【００１３】  また、本発明は、情報発信者が、前記の情報処理端末を利用して、試合終了情報をＷｅｂサーバに送信することで、Ｗｅｂサーバが、情報発信者から送信された各試合における参加者の得点情報から、得点の多い参加者を各試合の勝者として判断することを特徴とする。【００１４】  さらに、本発明は、情報発信者が、前記の情報処理端末を利用して、試合形式をトーナメント戦とする情報と初回対戦相手の組合せ情報を、Ｗｅｂサーバに送信することで、Ｗｅｂサーバが大会・試合情報表示Ｗｅｂページ上にトーナメント表を即時的に表示することをも特徴とする。【００１５】  そして、本発明は、試合形式がトーナメント戦である場合、情報発信者が前記の情報処理端末を利用して、試合終了情報をＷｅｂサーバに送信することで、即時的にＷｅｂサーバが送信された得点情報から試合の勝者を判断するとともに、該勝者が上位の試合に出場することを前記のトーナメント表に即時的に図示することを特徴とする。【００１６】  さらに、本発明は、試合形式がトーナメント戦である場合、情報発信者が前記の情報処理端末を利用して、試合終了の情報をＷｅｂサーバに送信することで、Ｗｅｂサーバが各試合の勝者とトーナメント表の情報から、上位の試合の対戦組合せを決定し、かつ、該組合せ情報を大会・試合情報表示Ｗｅｂページ上に即時的に表示することを特徴とする。【００１７】  そして、本発明は、試合形式がトーナメント戦である場合、情報発信者が試合終了の情報をＷｅｂサーバに送信することで、Ｗｅｂサーバが試合の勝者を判断するとともに、当該の大会における勝者が１人になった時点で、該勝者が大会の優勝者であることを前記のトーナメント表に即時的に図示することを特徴とする。【００１８】  また、本発明は、情報発信者が、前記の情報処理端末を利用して、試合形式をリーグ戦とする情報をＷｅｂサーバに送信することで、Ｗｅｂサーバが即時的に大会・試合情報表示Ｗｅｂページ上にリーグ表を即時的に表示することを特徴とする。【００１９】  ちなみに、前��のリーグ表には、各大会参加者の、順位、各試合における得点情報、勝ち数、負け数、引分の数、得点、失点、得失点差、勝ち点を表示する欄が設けられている。【００２０】  また、本発明は、試合形式がリーグ戦の場合、情報発信者が前記の情報処理端末を利用して、試合終了情報をＷｅｂサーバに送信する度に、Ｗｅｂサーバが、試合参加者に勝ち点を割り当てることを特徴とする。ちなみに、該勝ち点は、情報発信者が、任意の値に決定することができるものとする。【００２１】  さらに、本発明は、試合形式がリーグ戦の場合、情報発信者が前記の情報処理端末を利用して試合終了情報をＷｅｂサーバに送信することで、Ｗｅｂサーバが、前記のリーグ表に各大会参加者の、対戦相手ごとの得点情報、順位、勝ち数、負け数、引分の数、得点、失点、得失点差、勝ち点を即時的に表示することを特徴とする。【００２２】  ちなみに、本発明は、試合形式がリーグ戦の場合、Ｗｅｂサーバは、勝ち点の合計が多い参加者をより上位の順位として判断することを特徴とする。【００２３】  また、本発明は、Ｗｅｂサーバが、リーグ戦の順位を判断する際、大会参加者の勝ち点の合計が同値であるときは、得失点差の累計が多い方を勝者と判断し、さらに、得失点差が同値の場合、得点の累計が多い方を勝者と判断することを特徴とする。
【発明の効果】
【００２４】  本発明に係る、大会および試合の経過と結果の伝達方法によれば、サーバ構築やＷｅｂページ作成の専門的な知識を有さずとも、情報入力用のＷｅｂページに大会や試合の情報を入力し、送信するだけで、即時的に、該送信情報がトーナメント表やリーグ表の形式で情報表示用のＷｅｂページに表示され、不特定多数のＷｅｂページ閲覧者に試合や大会の情報を速報することが可能となる。
【発明を実施するための最良の形態】
【００２５】  本発明の実施の形態を、以下、図を参照しながら説明していく。【００２６】  最初に、本発明の実施の形態に関する説明を行う前に、以下の説明において使用されている用語についての定義を行う。まず、大会情報とは、少なくとも、大会の名称、競技種目、試合形式（トーナメント戦かリーグ戦）、大会の開始と終了の日時、各試合の開始日時、試合会場、大会参加者の名称や数、大会参加者の大会における順位、各試合における対戦相手の組合せなどを指し示すものとする。また、試合情報には、少なくとも各試合における大会参加者の得点、試合が継続中か終了しているかの情報を含むものとする。ちなみに、大会参加者が行う個々の対戦を試合とする。【００２７】  また、本発明を利用して、前記の大会情報や試合情報を不特定多数の人々に伝達しようとする者を情報発信者とし、大会情報や試合情報をＷｅｂページの閲覧を通じて取得する者をＷｅｂ閲覧者、そして、Ｗｅｂサーバを管理する者をシステム管理者と定義する。【００２８】  次に、本発明を構成する各要素について説明を行う。図１は、本発明の全体構成、および、符号１０の指し示すＷｅｂサーバ内の構成を示すブロック図である。図１が示すように、本発明は、物理的な構成要件として、Ｗｅｂサーバ１０、情報発信用の情報処理端末２１、情報取得用の情報処理端末２２、そして、各装置間を結び、情報の送受信を可能にするインターネット２０を必要とする。【００２９】  Ｗｅｂサーバ１０は、情報処理端末２１からの情報を受信するとともに記憶装置１４に記憶する情報処理装置である。また、Ｗｅｂサーバ１０は、情報処理端末２１からの送信情報をもとに、Ｗｅｂページを生成および更新し、生成や更新したＷｅｂページを記憶装置１４に記憶する。そして、Ｗｅｂサーバ１０は、情報処理端末２１や２２の配信要求に応じてＷｅｂページを供給する。【００３０】  また、図１に示されているように、Ｗｅｂサーバ１０は、中央処理装置１１と記憶装置１４、入出力装置１９によって構成されている。中央処理装置１１は、制御装置１３や演算処理装置１２により構成され、Ｗｅｂサーバ１０内の各装置の動作を制御し、各種の情報を演算処理する。【００３１】  入出力装置１９は、情報発信者がＷｅｂサーバ１０に送信した各種の情報入力を受け付け、Ｗｅｂサーバ１０が情報処理端末２１や２２に送信する各種Ｗｅｂページデータの出力を行う。【００３２】    記憶装置１４には、大会・試合情報データベース１５、情報入力Ｗｅｂページ１６、情報表示Ｗｅｂページ１７、システムプログラム１８が少なくとも記憶されている・大会・試合情報データベース１５は、情報処理端末２１から送信された大会情報や試合情報などから構成される。また、情報入力Ｗｅｂページ１６は、情報発信者がＷｅｂサーバ１０に送信する情報を入力するためのＷｅｂページであり、該Ｗｅｂページに入力され、Ｗｅｂサーバ１０に送信された大会や試合情報が、大会・試合情報データベース１５として記憶装置１４に記憶される。一方、情報表示Ｗｅｂページ１７は、大会・試合情報データベースとして記憶された大会情報や試合情報を表示するＷｅｂページである。そして、システムプログラム１８には、中央処理装置１１の本発明に必要な動作を規定する命令が含まれている。例えば、中央処理装置１１が、情報処理端末２１から送信された大会情報や試合情報を情報表示Ｗｅｂページ１７に表示することや、各種の情報を記憶装置１４に記憶すること、記憶された情報を演算処理することなどである。【００３３】  ちなみに、図１に示されてはいないが、Ｗｅｂサーバ１０は、キーボードやディスプレイをはじめとする、データを入力や出力するための入力装置や出力装置も具備しており、また、情報発信者が利用する情報処理端末２１とＷｅｂ閲覧者が利用する情報処理端末２２にも、中央処理装置、記憶装置、通信機能を果たす入出力装置、データの入力や出力の機能を果たす入力装置および出力装置を具備している。さらに、情報処理端末２１と情報処理端末２２は、記憶装置内にＷｅｂページ閲覧用ソフトウェアを記録し、かつ、該Ｗｅｂページ閲覧用ソフトウェアを利用できるものとする。【００３４】  ところで、図２は、図１の情報入力Ｗｅｂページ１６や情報表示Ｗｅｂページ１７のより詳しい構成や、各Ｗｅｂページ間の影響関係を示した図である。次に、図２を参照しながら、情報入力Ｗｅｂページ１６や情報表示Ｗｅｂページ１７についての説明を行う。【００３５】  図２に示されているように、情報入力Ｗｅｂページ１６は、大会情報管理Ｗｅｂページ１６Ａと試合情報管理Ｗｅｂページ１６Ｄの２つに大別される。大会情報管理Ｗｅｂページ１６Ａは、認証Ｗｅｂページ１６Ｂと大会情報入力Ｗｅｂページ１６Ｃから構成される。大会情報入力Ｗｅｂページ１６Ｃは大会情報を入力するためのＷｅｂページであり、認証Ｗｅｂページ１６Ｂは、情報発信者が大会情報入力Ｗｅｂページ１６Ｃを情報処理端末２１に受信するために必要なＩＤとパスワードを入力するためのＷｅｂページである。【００３６】  一方、図２に示されているように、試合情報管理Ｗｅｂページ１６Ｄは、認証Ｗｅｂページ１６Ｅと試合情報入力Ｗｅｂページ１６Ｆから構成される。試合情報入力Ｗｅｂページ１６Ｆは、試合情報を入力するＷｅｂページであり、認証Ｗｅｂページ１６Ｅは、情報発信者が大会情報入力Ｗｅｂページ１６Ｆを情報処理端末２１に受信するために必要なＩＤとパスワードを入力するためのＷｅｂページである。【００３７】  また、情報表示Ｗｅｂページ１７は、メニューＷｅｂページ１７Ａと大会・試合情報表示Ｗｅｂページ１７Ｂの２つから構成される。メニューＷｅｂページ１７Ａは、情報発信者によって登録された大会名称が表示されており、Ｗｅｂ閲覧者が情報処理端末２２を利用して、閲覧したい大会名称や試合を選択すると、選択された大会や試合に関する情報を表示した大会・試合情報Ｗｅｂページ１７Ｂが表示される。また、大会・試合情報表示Ｗｅｂページ１７Ｂには、情報発信者が送信した大会情報や試合情報が表示される。ちなみに、大会情報入力Ｗｅｂページ１６Ｃ、試合情報入力Ｗｅｂページ１６Ｆ、および、メニューＷｅｂページ１７Ａや大会・試合情報表示Ｗｅｂページ１７Ｂは、決してひとつのページとは限らず、情報の入力や閲覧が容易になるように、複数設けることも可能である。本説明においては、各Ｗｅｂページを複数に分割し、情報の入力や閲覧を行うことについての��明を行っている。【００３８】  続いては、本発明を利用して、情報発信者が、大会情報や試合情報をＷｅｂ閲覧者に伝達するまでの過程を２つの過程に大別して説明していく。最初に、試合情報入力Ｗｅｂページ１６Ｆや大会・試合情報表示Ｗｅｂページ１７Ｂを生成する過程を説明する。その後、情報発信者が、試合情報入力Ｗｅｂページ１６Ｆに入力した試合情報が、大会・試合情報表示Ｗｅｂページ１７Ｂに表示される過程を説明していく。【００３９】  最初に、情報発信者が情報処理端末２１やＷｅｂサーバ１０を利用して、試合情報入力Ｗｅｂページ１６Ｆや大会・試合情報表示Ｗｅｂページ１７Ｂを生成する過程を、図３の流れ図に沿って説明していく。ちなみに、以下の説明において、情報発信者やＷｅｂ閲覧者が、Ｗｅｂページ上の入力欄へ情報を入力したり、Ｗｅｂページ上のボタンを押したり、選択項目を選択する際には、情報処理端末２１や情報処理端末２２の入力装置を利用して行うものとする。【００４０】  まず、図３のステップ３０に示されているように、情報発信者は、Ｗｅｂサーバ１０から図２の認証Ｗｅｂページ１６Ｂを情報処理端末２１に受信し、該認証Ｗｅｂページ１６Ｂ上の所定の入力欄に、システム運営者から通知されたＩＤとパスワードを入力し、Ｗｅｂサーバ１０に送信する。ちなみに、該１Ｄとパスワードは、システム運営者が、Ｗｅｂサーバ１０の記憶装置１４に大会・試合情報データベース１５として記録したものである。【００４１】  さて、図３のステップ３１と３２に示しているように、中央処理装置１１は、情報発信者から送信された前記のＩＤとパスワードを、大会・試合情報データベース１５として記憶されているＩＤとパスワードと照合する。そして、両者の一致を確認すると、ステップ３３に示したように、大会情報入力Ｗｅｂページ１６Ｃを情報発信者の情報処理端末２１に送信し、情報処理端末２１の出力装置には大会情報入力Ｗｅｂページ１６Ｃが表示される。【００４２】  次に、図３のステップ３４に示しているように、情報発信者は、情報処理端末２１の出力装置に表示された大会情報入力Ｗｅｂページ１６Ｃ上の各入力欄に、大会情報を入力する。以下に、大会情報入力の詳しい説明を行う。【００４３】  ところで、図４から図８は、大会情報入力Ｗｅｂページ１６Ｃの具体例である。次に、これらの図を参照しながら、大会情報の入力を説明していく。【００４４】  まず、情報発信者は、情報処理端末２１を利用して、図４の大会情報入力Ｗｅｂページ上の各入力欄に適当な情報を入力して、Ｗｅｂサーバ１０に送信する。入力欄について説明すると、入力欄１６Ｃ−１に大会名称を、入力欄１６Ｃ−２に試合の競技種目を、入力欄１６Ｃ−４と１６Ｃ−５に大会の開始日と終了日を、入力欄１６Ｃ−６に大会参加者数を入力する。また、情報発信者は、ラジオボタン１６Ｃ−７を選択することで、試合形式をトーナメント戦に設定できる。そして、該設定情報を受けて中央処理装置１１は、図２の大会・試合情報表示Ｗｅｂページ１７Ｂにトーナメント表を表示する。さらに、チェック項目１６Ｃ−８にチェックを入れることで、大会・試合情報表示Ｗｅｂページ１７Ｂには、３位決定戦用のトーナメント表が表示される。【００４５】  一方、情報発信者は、図４のラジオボタン１６Ｃ−９を選択することで、試合形式をリーグ戦に設定することができる。そして、該設定情報を受けて、中央処理装置１１は、大会・試合情報表示Ｗｅｂページ１７Ｂにリーグ表を表示する。また、図４の破線内の入力欄１６Ｃ−１０の所定の項目に適当な数字を入力することで、戦勝時、戦敗時、引き分の時、それぞれの勝ち点を設定することができる。【００４６】  また、図４の入力欄１６Ｃ−３には、パスワードとなる任意の文字列を入力する。該文字列は、試合情報入力Ｗｅｂページ１６ＦをＷｅｂサーバ１０から情報処理端末２１に受信する際に、図２の認証Ｗｅｂページ１６Ｅに入力するパスワードとなるものである。【００４７】  情報発信者は、以上の大会情報やパスワードの入力を終了すると、登録ボタン１６Ｃ−１１を押し、入力した大会情報をＷｅｂサーバ１０に送信する。そして、送信された該大会情報は、中央処理装置１１が、記録装置１４に大会・試合情報データベース１５として記憶する。ちなみに、送信された該大会情報は、中央処理装置１１が記憶装置１４に大会・試合情報データベース１５として記憶する際、図２の認証Ｗｅｂページ１６Ｂに入力したＩＤと関連付けて記憶されるものとする。【００４８】  次に、図５の大会情報入力Ｗｅｂページは、大会参加者の名称を入力するものである。情報発信者が、該Ｗｅｂページの入力欄１６Ｃ−１３に参加者名称を入力した後、登録ボタン１６Ｃ−１４を押すことで、入力した参加者名称の情報がＷｅｂサーバ１０に送信される。そして、中央処理装置１１は、該送信情報を記録装置１４に大会・試合情報データベース１５として記憶するとともに、図５の入力情報表示欄１６Ｃ−１２に、既に入力された参加者数を表示する。【００４９】  参加者名称が記録装置１４に試合情報データベース１５として記憶された後、試合形式がトーナメント戦の場合、情報発信者は、Ｗｅｂサーバ１０から図６の大会情報入力Ｗｅｂページを情報処理端末２１に受信する。ちなみに、図６は大会参加者の対戦組合せを入力する大会情報入力Ｗｅｂページである。【００５０】  さて、図６のＷｅｂページが、情報処理端末２１の出力装置に表示されると、情報発信者は、組合せ入力欄１６Ｃ−１５に大会参加者を入力し、登録ボタン１６Ｃ−１７を押して、対戦組合せの情報をＷｅｂサーバ１０に送信する。そして、中央処理装置１１は、送信された該組合せ情報を、記憶装置１４に大会・試合情報データベース１５として記憶する。ちなみに、図６の入力欄１６Ｃ−１５の右側の「コ」の字線１６Ｃ−１６は、上下の２欄に入力された大会参加者が対戦することを示している。図６の表示例では、大会参加者ＡとＢが対戦することを示している。【００５１】  続いては、情報発信者が、各試合の開始日時や試合会場、また、審判やユニフォームなどの情報をＷｅｂサーバ１０に送信する手順を説明していく。図７と図８は、各試合の開始日時や試合会場、審判やユニフォームなどの情報を入力する大会情報入力Ｗｅｂページである。また、図７は、試合形式がトーナメント戦である場合の大会情報入力Ｗｅｂページであり、図８は、試合形式がリーグ戦である場合の大会情報入力Ｗｅｂページである���図７の入力表１６Ｃ−１８、および、図８の入力表１６Ｃ−２０は、左から２列目が試合日、左から３列目が開始時刻、左から４列目が試合会場、そして、左から５列目がその他の試合情報（審判やユニフォームなど）を入力する欄となっている。左から１列目は、対戦組合せを表示しており、試合形式がトーナメント戦の場合、情報発信者が図６の対戦の組合せを入力するＷｅｂページ上に入力した組合せが表示されている。一方、リーグ戦の場合、中央処理装置１１によって自動的に、すべての参加者が他のすべての参加者と対戦するように組合せが決定され、そして、該組合せが表示される。【００５２】  さて、Ｗｅｂサーバ１０から送信された図７もしくは図８の大会情報入力Ｗｅｂページが、情報端末２１の出力装置に表示されると、情報発信者者は、情報処理端末２１を利用して、適当な情報を該Ｗｅｂページに入力する。試合形式がトーナメント戦のときは入力表１６Ｃ−１８に、試合形式がリーグ戦のときには入力表１６Ｃ−２０に、試合日、開始時刻、試合会場、審判やユニフォームなどその他の情報を入力し、登録ボタン１６Ｃ−１９、もしくは、登録ボタン１６Ｃ−２１を押し、該入力情報をＷｅｂサーバ１０に送信する。そして、Ｗｅｂサーバ１０は、該送信情報を記憶装置１４に大会・試合情報データベース１５として記憶する。【００５３】  以上で、図３のステップ３４の情報発信者による大会情報の入力が終了する。この後、ステップ３５に示しているように、中央処理装置１１は、試合情報入力Ｗｅｂページ１６Ｆを情報処理端末２１に受信する際に入力するＩＤとパスワードを設定し、該ＩＤとパスワードが表示されたＷｅｂページを情報発信者の情報処理端末２１に送信し、情報処理端末２１の出力装置には、前記の設定したＩＤとパスワードが表示される。ちなみに、ＩＤは、中央処理装置１１が自動的に設定したものであるが、パスワードは、情報発信者が図４の入力欄１６Ｃ−３に任意の文字列を入力していれば、該文字列になり、入力がなされていなければ、中央処理装置１１が自動的に設定したものになる。【００５４】  さて、図３のステップ３６と３７に示しているように、中央処理装置１１は、大会・試合情報データベース１５の大会情報に基づいて、試合情報入力Ｗｅｂページ１６Ｆと大会・試合情報表示Ｗｅｂページ１７Ｂを生成する。以上で、試合情報入力Ｗｅｂページ１６Ｆ、および、大会・試合情報表示Ｗｅｂページ１７Ｂを生成する過程の説明を終える。【００５５】  続いて、情報発信者が、情報処理端末２１やＷｅｂサーバ１０を利用して、大会情報や試合情報をＷｅｂ閲覧者に伝達するまでの過程を、図９の流れ図に沿って説明していく。図１０から図１５は、試合情報入力Ｗｅｂページ１６Ｆの具体例であり、図１６と図１７は、大会・試合情報表示Ｗｅｂページ１７Ｂの具体例である。【００５６】  まず、情報発信者が、情報処理端末２１を利用して、Ｗｅｂサーバ１０に、図２の認証Ｗｅｂページ１６Ｅの配信要求をすると、Ｗｅｂサーバ１０は、情報処理端末２１に該認証Ｗｅｂページ１６Ｅを送信し、該情報処理端末２１の出力装置には、該Ｗｅｂページ１６Ｅが表示される。【００５７】  図９のステップ９０に示しているように、情報発���者は、情報処理端末２１を利用して、認証Ｗｅｂページ１６Ｅ上の入力欄に、図３のステップ３５で中央処理装置１１がＷｅページ上に表示したＩＤとパスワードを入力し、Ｗｅｂサーバ１０に送信する。【００５８】  図９のステップ９１と９２に示しているように、中央処理装置１１は、情報発信者が送信したＩＤとパスワードと、図３のステップ３５で発行したＩＤとパスワードが一致していることを確認すると、図１０の試合情報入力Ｗｅｂページを情報発信者の情報処理端末２１に送信する。図１０は、情報を入力しようとする試合を選択するためのＷｅｂページである。【００５９】  図９のステップ９３に示しているように、情報処理端末２１の出力装置に図１０のＷｅｂページが表示されると、ステップ９４に示しているように、情報発信者は、情報処理端末２１を利用して、図１０の試合選択項目群１６Ｆ−１から、情報を入力しようとする試合を選択する。【００６０】  図９のステップ９５に示しているように、中央処理装置１１は、図１１の入力情報を選択する試合情報入力Ｗｅｂページを情報発信者の情報処理端末２１に送信する。そして、情報処理端末２１の出力装置には、該Ｗｅｂページが表示される。ちなみに、図１１から図１７は、図１０の試合選択の項目群から、大会参加者ＡとＢの試合情報を入力していく場合を例にとり図示している。【００６１】  次に、図９のステップ９６と９７に示しているように、情報発信者が情報処理端末２１を利用して、図１１のＷｅｂページ上にある試合開始項目１６Ｆ−２を選択すると、中央処理装置１１は、図１２の得点情報を入力するＷｅｂページを、情報発信者の情報処理端末２１に送信し、情報処理端末２１の出力装置には、該Ｗｅｂページが表示される。【００６２】  図９のステップ９８に示しているように、情報発信者は、情報処理端末２１を利用して、図１２の得点情報入力Ｗｅｂページ上の得点入力欄１６Ｆ−５と１６Ｆ−６に各試合参加者の得点を入力し、その後、登録ボタン１６Ｆ−７を押し、Ｗｅｂサーバ１０に該得点情報を送信する。【００６３】  中央処理装置１１は、送信された該得点情報を、記憶装置１４に大会・試合情報データベース１５として記憶するとともに、図９のステップ９９に示しているように、該得点情報を図１４の試合情報入力Ｗｅｂページ上の表示項目１６Ｆ−１１に表示する。また、図９のステップ９０Ａに示しているように、中央処理装置１１は、該得点情報を、図２の大会・試合情報表示Ｗｅｂページ１７Ｂにも表示する。試合情報の大会・試合情報表示Ｗｅｂページ１７Ｂへの表示については後に説明する。【００６４】  また、情報発信者が、選手の配置や選手交代などをはじめとする得点以外の試合情報を入力するには、情報処理端末２１を利用して、図１１の選択項１６Ｆ−３を選択する。その後、中央処理装置１１は、図１３の該試合情報を入力する試合情報入力Ｗｅｂページを情報処理端末２１に送信し、情報発信者は、情報処理端末２１の表示装置に表示された該Ｗｅｂページに該試合情報を入力し、Ｗｅｂサーバ１０に送信する。そして、中央処理装置１１は、送信された該試合情報を記憶装置１４に、大会・試合情報データベース１５として記憶するとともに、大会・試合情報��示Ｗｅｂページ１７Ｂに表示する。ちなみに、図１３の入力項目は、競技によって適当な項目を設けるとよい。【００６５】  ところで、図１６と図１７は、大会・試合情報表示Ｗｅｂページ１７Ｂの具体例であり、また、図１６は試合形式がトーナメント戦の場合の表示例であり、図１７は試合形式がリーグ戦の場合の表示例である。以下、図１６と図１７を参照しながら、前記の試合情報が、大会・試合情報表示Ｗｅｂページ１７Ｂに表示されることについて説明する。それに先立ち、図１６と図１７の各部分についての説明を行う。【００６６】  図１６の表１７Ｂ−２と図１７の表１７Ｂ−８は、各試合の個別の得点表であり、図１６の表１７Ｂ−３と図１７の表１７Ｂ−９は、選手の配置や選手交代などをはじめとする得点以外の試合情報を表示する詳細情報欄である。【００６７】  図１６の符号１４Ｂ−４は、トーナメント表を指し示しており、表示枠１７Ｂ−４ａには、大会参加者が表示され、１７Ｂ−４ｂには大会の優勝者が表示される。一方、図１７の符号１７Ｂ−１０は、リーグ表を指し示しており、大会参加者の順位、戦勝数、戦敗数、引分の数、得点、失点、得失点差、勝ち点などが表示される。【００６８】  また、図１６の表１７Ｂ−１と図１７の表１７Ｂ−７には、各試合が選択項として表示されており、Ｗｅｂ閲覧者が情報処理端末２２を利用して選択した試合の情報が、得点表１７Ｂ−２や１７Ｂ−８、詳細情報欄１７Ｂ−３や１７Ｂ−９に表示される。ちなみに、図１６の表１７Ｂ−１と図１７の表１７Ｂ−７に表示されている「Ａ−Ｂ」などの組合せは、情報を表示できる試合を表している。また、図１６の表１７Ｂ−５と図１７の表１７Ｂ−１１は、大会における全試合の組合せ、開催日時、開催場所やその他の試合情報が表示されたものである。【００６９】  また、Ｗｅｂ閲覧者が情報処理端末２２を利用して、図１６の項目１７Ｂ−６および図１７の項目１７Ｂ−１２を選択すると、中央処理装置１１は、情報表示Ｗｅｂページ１７のメニューＷｅｂページ１７Ａを情報処理端末２２に送信し、Ｗｅｂ閲覧者は、他の大会や試合の情報を選択し、そして、閲覧することが可能となる。【００７０】  さて、情報発信者が、情報処理端末２１を利用して、得点情報やその他の詳細情報を試合情報入力Ｗｅｂページ１６Ｆに入力し、Ｗｅｂサーバ１０に送信すると、中央処理装置１１は、該試合情報を記憶装置１４に試合情報データベース１５として記憶する。また、中央処理装置１１は、該試合情報を、図１６と図１７の大会・試合情報表示Ｗｅｂページ上にある得点表１７Ｂ−２や１７Ｂ−５もしくは１７Ｂ−８や１７Ｂ−１１、詳細情報欄１７Ｂ−３もしくは１７Ｂ−９、それぞれの所定の欄に表示する。【００７１】  以上のようにして、情報発信者が情報処理端末２１を利用して送信した試合情報は、大会・試合情報表示Ｗｅｂページ１７Ｂに表示される。次に、情報発信者が、試合情報の入力を継続する場合と、試合情報の入力を終了する場合について説明する。図１４は、試合情報の入力を継続するか終了するかを選択する試合情報入力Ｗｅｂページである。図９のステップ９０Ｂと９０Ｃに示しているように、情報発信者は、情報処理端末２１を利用して、図１４の選択項目１６Ｆ−１２もしくは１６Ｆ−１３を選択することで、試合情報の入力およびＷｅｂサーバ１０への該情報の送信を継続できる。すなわち、中央処理装置１１は、図９のステップ９７、９９、および、９０Ａの動作を反復し、情報処理端末２１から送信される新規の試合情報を図１４の表示項目１６Ｆ−１１や図１６や図１７の大会・試合情報表示Ｗｅｂページ上の適当な表に表示する。ちなみに、情報発信者は、図１４の選択項目１６Ｆ−１２を選択することで、既に入力された得点情報の修正をすることができ、１６Ｆ−１３を選択することで新規の得点情報を入力できる。【００７２】  一方、図１４の情報発信者が選択項目１６Ｆ−１４を選択することで、中央処理装置１１は、図９のステップ９０Ｃ以降に示されている過程を行う。まず、中央処理装置１１は、情報処理端末２１が試合情報の入力終了までに送信した試合情報を試合結果として表示する図１５の試合情報入力Ｗｅｂページを生成する。そして、図９のステップ９０Ｅに示しているように、中央処理装置１１は、図１５の試合情報入力Ｗｅｂページを情報処理端末２１に送信し、情報処理端末２１の出力装置には、該Ｗｅｂページが表示される。【００７３】  ここで、情報発信者が、得点以外の試合情報を入力するには、図１５の選択項目１６Ｆ−１６を選択し、図１３のＷｅｂページをＷｅｂサーバ１０から受信し、該Ｗｅｂページに必要な情報を入力してＷｅｂサーバ１０に送信する。また、他の大会参加者同士の試合情報を入力するには、図１５の選択項目１６Ｆ−１７を選択し、図９のステップ９３から９０Ｂの過程を繰り返す。【００７４】  また、図９のステップ９０Ｄに示しているように、中央処理装置１１は、情報処理端末２１が得点入力を終了するまでに送信した得点情報から、得点の多い試合参加者を試合の勝者とし、得点の少ない試合参加者を試合の敗者として判断する。また、得点が同じ場合は引き分けと判断する。【００７５】  そして、中央処理装置１１は、図９のステップ９０Ｆに示しているように、前記の勝敗の判断結果を基に、大会・試合情報表示Ｗｅｂページ１７Ｂの内容を更新する。該更新内容に関して、試合形式がトーナメント戦の場合と、リーグ戦の場合とに分けて、以下に詳しく説明する。【００７６】  最初に、図１６を参照しながら、試合形式がトーナメント戦である場合について説明する。中央処理装置１１は、試合の勝者を判断した後、図１６のトーナメント１７Ｂ−４に示しているように、勝者が表示された枠を始点とする直線を実線で表示する。図１６のトーナメント表１７Ｂ−４の例では、大会参加者Ａ対Ｂの試合が１対０でＡの勝利に終わり、Ａが上位の試合に進出することを表している。【００７７】  また、中央処理装置１１は、勝者の情報とトーナメント表の情報から、上位の試合、すなわち、次期試合の対戦の組合せを決定し、図１６の表１７−５の第１列目に表示する。図１６の例では、大会参加者Ａが一回戦での勝者であるという情報と、トーナメント表の情報に基づき、Ａが決勝戦に進出することが表示欄１７Ｂ−５ａに表示されている。また、決勝戦での大会参加者Ａの対戦相手は、試合参加者ＣとＤとの対戦が終了した後に、中央処理装置１１が、得点情報から自動的に勝者を判断し表示欄１７Ｂ−５ａに表示する。【００７８】  中央処理装置１１は、全試合の得点情報入力が終了した時点で、最終的に勝者として判断した大会参加者を優勝者と決定し、図１６のトーナメント表の表示枠１７Ｂ−４ｂに優勝者を表示する。【００７９】  次に、試合形式がリーグ戦の場合の説明を行う。中央処理装置１１は、試合の勝者を判断した後、図４の大会情報入力Ｗｅｂページ上の入力欄１６Ｃ−１０で設定した勝ち点を、試合の参加者に割り当て、記憶装置１４に大会・試合情報データベース１５として記憶する。そして、図１７のリーグ表１７Ｂ−１０の所定の欄に、勝ち点の累積を表示するとともに、得点情報を計算して各参加者の得失点差を表示する所定の欄に得失点差も表示する。また、同様にして、勝数や負数、引分の欄には、各参加者の戦勝数、戦敗数、引分の数の累積も表示する。ちなみに、順位の項目を１列目とし、該列を基点として、左から数えて３列目から６列目には、各大会参加者の対戦相手との得点情報が表示されている。例えば、順位や参加者名など各項目名が表示された行を１行目とし、２行４列目の欄をみると、試合参加者ＡとＢの試合結果として「１−０」という得点情報が表示されており、大会参加者Ａが１点、Ｂが０点獲得したことを表している。また、試合が未開催や試合中である場合は、２行５列目のように、試合開催日が表示されている。【００８０】  また、中央処理装置１１は、勝ち点の合計が多い方を上位の順位と判断する。そして、図１８のリーグ表１７Ｂ−１０において、上位の順位に位置する大会参加者の行を、上位の行になるように表示する。ちなみに、各参加者の順位を決定する際に、勝ち点の合計が同値の場合、得失点差の合計が多い方が上位の順位になり、さらに、得失点差の合計が同値の場合は、得点の合計が多い方が上位の順位になる。そして、得点の合計も同値である場合は、情報発信者が、情報処理端末２１を利用して、試合情報入力Ｗｅｂページ１６Ｃを通じて、強制的に順位を指定する。【００８１】  以上のようにして、情報発信者が、情報処理端末２１やＷｅｂサーバ１０を利用して、大会・試合情報を大会・試合情報表示Ｗｅｂページ１７Ｂ上に表示し、一方で、不特定多数のＷｅｂ閲覧者が情報処理端末２２を利用して該Ｗｅｂページ１７Ｂを閲覧することで、大会情報や試合情報を伝達していくことが可能となるのである。
【図面の簡単な説明】
【００８２】
【図１】本発明の実施形態の構成とＷｅｂサーバ１０の構成を示すブロック図である。
【図２】図１の情報入力Ｗｅｂページ１６と情報表示Ｗｅｂページ１７の分類や影響関係を示す図である。
【図３】情報発信者が、情報処理端末２１やＷｅｂサーバ１０を利用して、試合情報入力Ｗｅｂページ１６Ｃや試合・大会情報表示Ｗｅｂページ１７Ｂを生成する過程を示す流れ図である。
【図４】図２の大会情報入力Ｗｅｂページ１６Ｃの具体例である。
【図５】図２の大会情報入力Ｗｅｂページ１６Ｃの具体例である。
【図６】図２の大会情報入力Ｗｅｂページ１６Ｃの具体例である。
【図７】図２の大会情報入力Ｗｅｂページ１６Ｃの具体例である。
【図８】図２の大会情報入力Ｗｅｂページ１６Ｃの具体例である。
【図９】情報発信者が、情報処理端末２１やＷｅｂサーバ１０を利用して、大会・試合情報を大会試合譲歩表示Ｗｅｂページに表示する過程を示す流れ図である。
【図１０】図２の試合情報入力Ｗｅｂページ１６Ｆの具体例である。
【図１１】図２の試合情報入力Ｗｅｂページ１６Ｆの具体例である。
【図１２】図２の試合情報入力Ｗｅｂページ１６Ｆの具体例である。
【図１３】図２の試合情報入力Ｗｅｂページ１６Ｆの具体例である。
【図１４】図２の試合情報入力Ｗｅｂページ１６Ｆの具体例である。
【図１５】図２の試合情報入力Ｗｅｂページ１６Ｆの具体例である。
【図１６】図２の大会・試合情報入力Ｗｅｂページ１７Ｂの、試合形式がトーナメント戦の場合の具体例である。
【図１７】図２の大会・試合情報入力Ｗｅｂページ１７Ｂの、試合形式がリーグ戦の場合の具体例である。
【符号の説明】
【００８３】１０    Ｗｅｂサーバ
１１    中央処理装置
１２    演算装置
１３    制御装置
１４    記憶装置
１５    大会・試合情報データベース
１６    情報入力Ｗｅｂページ
１６Ａ  大会情報管理Ｗｅｂページ
１６Ｂ  認証Ｗｅｂページ
１６Ｃ  大会情報入力Ｗｅｂページ
１６Ｄ  試合情報管理Ｗｅｂページ
１６Ｅ  認証Ｗｅｂページ
１６Ｆ  試合情報入力Ｗｅｂページ
１７    情報表示Ｗｅｂページ
１７Ａ  メニューＷｅｂページ
１７Ｂ  大会・試合情報表示Ｗｅｂページ
１８    システムプログラム
１９    入出力装置
２０    インターネット
２１    情報発信者用の情報処理端末
２２    Ｗｅｂ閲覧者用の情報処理端末
【図１】
2005044322.tif 000003
【図２】
2005044322.tif 000004
【図３】
2005044322.tif 000005
【図４】
2005044322.tif 000006
【図５】
2005044322.tif 000007
【図６】
2005044322.tif 000008
【図７】
2005044322.tif 000009
【図８】
2005044322.tif 000010
【図９】
2005044322.tif 000011
【図１０】
2005044322.tif 000012
【図１１】
2005044322.tif 000013
【図１２】
2005044322.tif 000014
【図１３】
2005044322.tif 000015
【図１４】
2005044322.tif 000016
【図１５】
2005044322.tif 000017
【図１６】
2005044322.tif 000018
【図１７】
2005044322.tif 000019